(57)【要約】【課題】洗髪時における湯の使用量を節約し易い洗髪装置を提供する。【解決手段】洗髪装置１は、被洗髪者Ｍの頭部を入れる洗髪用ボール１０と、洗髪用ボール１０内に気体を吐出する気体吐出手段と、を備える。気体吐出手段は、ノズル２１〜２４と、共用管３１〜３５と、エアポンプ４３とを利用して構成されている。湯とシャンプーが入れられた洗髪用ボール１０に気体を吐出することによって、シャンプーをしっかり泡立てて頭部の洗浄を行える。この際、必ずしもお湯を出し続ける必要がないために、お湯の使用量を節約することが可能である。【選択図】図１
2015019669.tif 000002
【特許請求の範囲】
【請求項１】
被洗髪者の頭部を入れる洗髪用容器と、
前記洗髪用容器内に気体を吐出する気体吐出手段と、
を備えることを特徴とする洗髪装置。
【請求項２】
前記洗髪用容器内に液体を溜める状態と、溜めない状態との切り換えを行う切り換え手段を更に備えることを特徴とする請求項１に記載の洗髪装置。
【請求項３】
前記洗髪用容器内に液体を吐出する液体吐出手段を更に備えることを特徴とする請求項１又は２に記載の洗髪装置。  
【請求項４】
前記液体吐出手段は、お湯を吐出可能であることを特徴とする請求項３に記載の洗髪装置。
【請求項５】
前記液体吐出手段は、少なくともシャンプー液を含む剤液を吐出可能であることを特徴とする請求項３又は４に記載の洗髪装置。
【請求項６】
前記気体吐出手段と前記液体吐出手段とは、吐出口を共用していることを特徴とする請求項３から５のいずれかに記載の洗髪装置。
【請求項７】
前記気体吐出手段と前記液体吐出手段とは、前記吐出口へと繋がる配管の一部を共用していることを特徴とする請求項６に記載の洗髪装置。
【請求項８】
洗髪装置を用いて洗髪を行う方法であって、
被洗髪者の頭部が入れられる洗髪用容器内に液体を入れるステップと、
前記液体が入れられた前記洗髪用容器内に被洗髪者の頭部が入れられた状態で、前記洗髪用容器内に気体を吐出するステップと、
を備えることを特徴とする洗髪方法。
【発明の詳細な説明】
【技術分野】
【０００１】
本発明は、人の頭髪を自動で洗うことができる洗髪装置及び洗髪方法に関する。
【背景技術】
【０００２】
従来、人の頭髪を自動で洗うことができる自動洗髪機が知られている（例えば特許文献１や２参照）。従来の自動洗髪機は、頭部に向けて剤液（例えばシャンプー液やコンディショナー液等が混入された液体）、又は、洗浄水（シャンプー液、及び、コンディショナー液を含む薬剤が何ら混入されていない液体）を噴射するノズルリンクを備えている。
【０００３】
従来の自動洗髪機を用いて被洗髪者の頭髪を洗う場合には、例えば、ノズルリンクからシャンプー液やコンディショナー液等の剤液を噴射して頭部を洗髪する。そして、ノズルリンクから洗浄水を噴射して、被洗髪者の頭部に付着した剤液を洗い流す。
【先行技術文献】
【特許文献】
【０００４】
【特許文献１】特開２０１１−２１２２４９号公報
【特許文献２】特許第２５２０３５７号公報
【発明の概要】
【発明が解決しようとする課題】
【０００５】
上述した従来の自動洗髪機においては、洗浄水が被洗髪者の頭部に噴射される工程（すすぎ工程）ばかりではなく、シャンプー液やコンディショナー液等の剤液が被洗髪者の頭部に噴射される工程（シャンプー工程やコンディショナー工程）においても、貯湯タンクに溜められた湯が使用される。すなわち、従来の自動洗髪機では、絶えずノズルリンクからお湯を噴射し続けなければ、洗髪作業を行えない。このために、従来の自動洗髪機においては、お湯の使用量が多くなり易いといった課題がある。
【０００６】
以上の点に鑑みて、本発明の目的は、洗髪時における湯の使用量を節約し易い洗髪装置及び洗髪方法を提供することである。
【課題を解決するための手段】
【０００７】
上記目的を達成するために本発明の洗髪装置は、被洗髪者の頭部を入れる洗髪用容器と、前記洗髪用容器内に気体を吐出する気体吐出手段と、を備える構成（第１の構成）になっている。
【０００８】
本構成によれば、例えばお湯とシャンプーが入れられた洗髪用容器内に被洗髪者の頭部を収めて、気体を吐出させることができる。気体の吐出によって洗髪用容器内のお湯及びシャンプーを撹拌してしっかり泡立てることができるために、被洗髪者の頭髪や頭皮をしっかり洗浄することができる。そして、この手法では、被洗髪者の頭髪等を洗浄する際に、必ずしもお湯を出し続ける必要がないために、お湯の使用量を節約することが可能である。
【０００９】
上記第１の構成の洗髪装置は、前記洗髪用容器内に液体を溜める状態と、溜めない状態との切り換えを行う切り換え手段を更に備える構成（第２の構成）であるのが好ましい。本構成によれば、洗髪装置の使用者が自らの手で洗髪用容器内の液体を容器から排出する必要がなくなり、装置使用者の作業負担を低減できる。
【００１０】
上記第１又は第２の構成の洗髪装置は、前記洗髪用容器内に液体を吐出する液体吐出手段を更に備える構成（第３の構成）であるのが好ましい。本構成によれば、洗髪装置の使用者が自らの手で洗髪用容器内に液体を入れる必要がなくなり、装置使用者の作業負担を低減できる。
【００１１】
上記第３の構成の洗髪装置において、前記液体吐出手段は、お湯を吐出可能である構成（第４の構成）が好ましい。本構成によれば、適温の液体にて被洗髪者が気持ち良く洗髪されることが期待できる。
【００１２】
上記第３又は第４の構成の洗髪装置において、前記液体吐出手段は、少なくともシャンプー液を含む剤液を吐出可能である構成（第５の構成）が好ましい。本構成によれば、洗髪装置の使用者が自らの手で剤液の投入を行う必要をなくせる。
【００１３】
上記第３から第５のいずれかの構成の洗髪装置において、前記気体吐出手段と前記液体吐出手段とは、吐出口を共用している構成（第６の構成）が好ましい。本構成によれば、洗髪用容器内に配置される吐出口の数を低減できるために、例えばコスト面等において有利である。
【００１４】
上記第６の構成の洗髪装置において、前記気体吐出手段と前記液体吐出手段とは、前記吐出口へと繋がる配管の一部を共用している構成（第７の構成）が好ましい。本構成によれば、配管の数を減らせるために、例えばコスト面等において有利である。また、本構成によれば、気体吐出手段を利用して、配管内に残った液体を洗髪用容器内に放出するといったことが可能になる。すなわち、本構成によれば、洗髪作業後に配管内に残った液体をある程度抜いておくことができるために、例えば次の被洗髪者に冷たい水がかかったり、洗髪用容器に冷たい水が溜められたりすることを避けられる。
【００１５】
上記目的を達成するために本発明の洗髪方法は、洗髪装置を用いて洗髪を行う方法であって、被洗髪者の頭部が入れられる洗髪用容器内に液体を入れるステップと、前記液体が入れられた前記洗髪用容器内に被洗髪者の頭部が入れられた状態で、前記洗髪用容器内に気体を吐出するステップと、を備える構成（第８の構成）になっている。
【００１６】
本構成によれば、液体（例えばお湯とシャンプー液、或いは、お湯のみ等）が入れられた洗髪用容器内に気体を吐出させて、容器内の液体を撹拌しながら、被洗髪者の頭髪や頭皮をしっかり洗うことができる。そして、この手法では、被洗髪者の頭髪等を洗う際に、必ずしもお湯を出し続ける必要がないために、お湯の使用量を節約することが可能である。
【発明の効果】
【００１７】
本発明によれば、洗髪時における湯の使用量を節約し易い洗髪装置及び洗髪方法を提供できる。
【図面の簡単な説明】
【００１８】
【図１】本発明の第１実施形態に係る洗髪装置の構成を示す模式図
【図２】本発明の第１実施形態に係る洗髪装置が備える洗髪用ボールを上から見た場合の概略平面図
【図３】本発明の第１実施形態に係る洗髪装置を用いて被洗髪者の頭部を洗髪する手順を示すフローチャート
【図４】本発明の第２実施形態に係る洗髪装置の構成を示す模式図
【図５】本発明の第３実施形態に係る洗髪装置の構成を示す模式図
【図６】本発明の実施形態に係る洗髪装置の変形例を説明するための模式図
【発明を実施するための形態】
【００１９】
以下、本発明の実施形態に係る洗髪装置及び洗髪方法について、図面を参照しながら詳細に説明する。
＜第１実施形態＞
【００２０】
図１は、本発明の第１実施形態に係る洗髪装置１の構成を示す模式図である。図１に示すように、洗髪装置１（自動洗髪装置）は洗髪用ボール１０を備えている。洗髪用ボール１０は、上側が開口した凹型の容器である。洗髪用ボール１０は、本発明の洗髪用容器の一例である。なお、図１は、洗髪用ボール１０内に液体（例えばお湯等）が溜められた状態を示している。
【００２１】
図２は、本発明の第１実施形態に係る洗髪装置１が備える洗髪用ボール１０を上から見た場合の概略平面図である。図２に示すように、洗髪用ボール１０の縁１０１には、他の部分に比べて高さが低くなった段差部１０２が設けられている。図１に示すように、この段差部１０２を利用して、顔を仰向けにした被洗髪者Ｍは、洗髪用ボール１０内に頭部を収めるようになっている。
【００２２】
なお、顔を仰向けにした被洗髪者Ｍは、椅子（移動可能なものも含む）に座った状態であってもよいし、寝台（移動可能なものも含む）に仰向けになって寝転がった状態であってもよい。例えば洗髪装置１が入浴装置（介助が必要な者を入浴させるための装置）と組み合わせて使用される場合、前述の椅子は車椅子であってもよく、また、前述の寝台はストレッチャーや担架等であってもよい。
【００２３】
以下においては、洗髪用ボール１０の段差部１０２が設けられた側を前側として説明が行われる。
【００２４】
洗髪用ボール１０の底壁１０ａ及び後側壁１０ｂには、ノズル２１〜２４が固定配置されている。ノズル２１〜２４の形状は、特に限定されるものでなく、吐出口が１つ設けられている構成でも構わないし、複数設けられている構成でも構わない。ノズル２１〜２４に設けられる吐出口は、本発明の吐出口の一例である。本実施形態においては、底壁１０ａの左右方向の中央寄りに、前後方向に間隔をあけて並ぶ３つのノズル２１〜２３が設けられている（図２参照）。また、後側壁１０ｂの略中央部に１つのノズル２４が設けられている。
【００２５】
なお、洗髪用ボール１０の底壁１０ａや後側壁１０ｂに設けられるノズルの位置や数は、本実施形態の構成から適宜変更されてよい。また、ノズルは、前側壁や横側壁に設けられてもよい。更に、洗髪用ボール１０に設けられるノズルの総数は複数ではなく、１個であってもよい。
【００２６】
各ノズル２１〜２４には、それぞれ、共用管３１〜３４が接続されている。共用管３１〜３４は、例えば硬質の素材で構成されたパイプや、軟質の素材で構成されたホース等であってよい。詳細には、第１ノズル２１には第１共用管３１が、第２ノズル２２には第２共用管３２が、第３ノズル２３には第３共用管３３が、第４ノズル２４には第４共用管３４が接続されている。第１〜第３の共用管３１〜３３は、いずれも第５共用管３５に接続されており、これにより３つの共用管３１〜３３は連通している。また、第５共用管３５は、第４共用管３４に接続されており、これにより、４つの共用管３１〜３４は連通している。
【００２７】
第４共用管３４には、２つの送液ポンプ４１、４２と１つのエアポンプ４３とが並列に接続されている（計３つのポンプが並列接続されている）。２つの送液ポンプ４１、４２及びエアポンプ４３は、洗髪用ボール１０を基準として、第５共用管３５よりも離れた位置で第４共用管３４に接続されている。なお、各ポンプ４１〜４３と第４共用管３４との間には、各ポンプ４１〜４３と第４共用管３４とが連通した状態と連通していない状態との切り換えを行うためのバルブ（例えば電磁弁等）や管（パイプ又はホース）が適宜設けられてよい。
【００２８】
第１送液ポンプ４１は、第１送液管３６を介して剤液貯蔵部５１に接続されている。第１送液ポンプ４１の駆動によって、剤液貯蔵部５１に貯蔵されている剤液が第４共用管３４へと送り込まれる。第４共用管３４に送り込まれた剤液は、適宜、他の共用管３１〜３３、３５を通って、各ノズル２１〜２４から洗髪用ボール１０内に吐出される。なお、剤液貯蔵部５１に貯蔵される剤液は、例えばシャンプー、リンスインシャンプー、コンディショナー等であってよい。また、剤液貯蔵部５１は、例えば、シャンプーやリンス（又は／及びコンディショナー）等が別々に貯蔵された構造であって、別々に貯蔵された剤液が選択的に取り出せる構造を備えていても構わない。
【００２９】
第２送液ポンプ４２は、第２送液管３７を介して水源部５２に接続されている。第２送液ポンプ４２の駆動によって、水源部５２の水が第４共用管３４に送り込まれる。第４共用管３４に送り込まれた水は、適宜、他の共用管３１〜３３、３５を通って、各ノズル２１〜２４から洗髪用ボール１０内に吐出される。なお、水源部５２は、例えば、洗髪に適した温度の水（温水）が溜められたタンクや、温水を吐出可能な蛇口等であってよい。
【００３０】
エアポンプ４３は、第４共用管３４に空気を送り込む。第４共用管３４に送り込まれた空気は、適宜、他の共用管３１〜３３、３５を通って、各ノズル２１〜２４から洗髪用ボール１０内に吐出される。なお、第４共用管３４に送り込む気体は空気でなくてもよく、例えば酸素等であってもよい。空気以外の気体を第４共用管３４に送り込む場合には、エアポンプ４３が第４共用管３４に接続される構成を適宜変更する必要がある。
【００３１】
５つの共用管３１〜３５、２つの送液管３６、３７、２つの送液ポンプ４１、４２、剤液貯蔵部５１、及び、水源部５２は、本発明の液体吐出手段を構成している。また、５つの共用管３１〜３５、及び、エアポンプ４３は、本発明の気体吐出手段を構成している。なお、本実施形態では、液体吐出手段と気体吐出手段とで、ノズルと、配管の一部とが共用されているが、これらは共用されない構成（すなわち、別々にノズル及び／又は配管を設ける構成）としても構わない。また、液体吐出手段が、例えば、別々に設けられる、水（温水）吐出手段と剤液吐出手段との２つから構成されるようにしてもよい。
【００３２】
洗髪用ボール１０の底壁１０ａの後寄りには、排水口６０が設けられている。排水口６０には排水管６１が接続されている。すなわち、洗髪用ボール１０に溜められた液体は、排水口６０及び排水管６１を介して外部へと排出可能になっている。なお、洗髪用ボール１０の底壁１０ａは、排水が行い易いように、排水口６０の高さが他の部分に比べて低くなる傾斜構造を含むのが好ましい。
【００３３】
本実施形態においては、排水管６１にバルブ６２が取り付けられている。このバルブ６２の開閉によって、洗髪用ボール１０内に液体を溜める状態と、溜めない状態との切り換えを行える。なお、バルブ６２は、本発明の切り換え手段の一例である。バルブ６２は、手動式のバルブでもよいが、電磁弁等の自動式のバルブであってもよい。また、切り換え手段として、バルブ６２の代わりに、例えばボップアップ式の栓やゴム栓等が使用されても構わない。
【００３４】
その他、図示は省略されているが、洗髪装置１には、各ポンプ４１〜４３等を動作させるためのボタンを含む操作部が備えられている。また、洗髪用ボール１０には、当該ボール１０内から液体が溢れないように、内壁のいずれかに、液体溢れ防止用の排水穴（不図示）が設けられるのが好ましい。当該排水穴は、排水管６１と繋がるように構成されるのが好ましい。更に、複数設けられるノズル２１〜２４のうち、いずれのノズルを使用するかを選択できるように、例えば各共用管３１〜３４のそれぞれに電磁弁等のバルブを設けても構わない。
【００３５】
次に、以上のように構成される洗髪装置１を用いて被洗髪者Ｍの頭部を洗浄する手順（一例）について、図３に示すフローチャートを参照しながら詳細に説明する。まず、洗髪用ボール１０にお湯を溜める貯湯工程が行われる（ステップＳ１）。お湯溜めは、第２送液ポンプ４２を駆動し、各共用管３１〜３５を介して各ノズル２１〜２４からお湯を吐出させることによって行われる。貯湯工程においては、排水管６１に設けられるバルブ６２は、閉められた状態とされる。なお、貯湯工程の開始時においては、被洗髪者Ｍの頭部は、洗髪用ボール１０に収められていてもよいが、収められていなくてもよい。被洗髪者Ｍの頭部は、貯湯工程の途中や終了後に洗髪用ボール１０に収められてもよい。
【００３６】
洗髪用ボール１０内に所望量の湯が溜められると、剤液投入工程が行われる（ステップＳ２）。剤液の投入は、第１送液ポンプ４１を駆動し、各共用管３１〜３５を介して各ノズル２１〜２４から剤液を吐出させることによって行われる。剤液には、少なくともシャンプー液が含まれるのが好ましい。なお、ここでは、貯湯工程の終了後に剤液投入工程が行われる構成としているが、これに限らず、例えば、貯湯工程と合わせて剤液投入工程が行われても構わない。この場合、剤液はお湯と混ざりながら、洗髪用ボール１０に吐出される。また、場合によっては、剤液投入工程と貯湯工程の順番が入れ替わってもよい。
【００３７】
洗髪用ボール１０内に所望量の湯と剤液が入れられると、被洗髪者Ｍの頭部が収められた洗髪用ボール１０内で頭髪と頭皮の洗浄を行う洗浄（空気吹き込み）工程が行われる（ステップＳ３）。頭髪及び頭皮の洗浄は、エアポンプ４３を駆動し、各共用管３１〜３５を介して各ノズル２１〜２４から空気を吐出させることによって行われる。洗髪用ボール１０内に空気が吐出されることによって、お湯及びシャンプー液（剤液）が撹拌され、洗髪用ボール１０内でシャンプーをしっかりと泡立てることができる。このために、頭髪及び頭皮をしっかり洗浄することが可能である。洗浄工程でエアポンプ４３のみを作動させる場合、洗髪用ボール１０内の湯の量が増えないために、少量のシャンプー液でシャンプーの泡立てをしっかり行い易い。
【００３８】
なお、洗浄工程においては、エアポンプ４３に加えて第２送液ポンプ４２も駆動させてよい。この場合、被洗髪者Ｍの頭部に対して噴流による刺激を与えられるので、洗浄効果が高まることが期待できる。この場合には、洗浄工程で湯を吐出させることになるので、湯の使用量増加が懸念されるが、例えば、第２送液ポンプ４２を断続的に駆動したり、洗浄工程の一部の期間においてのみ第２送液ポンプ４２を駆動したりすることで、湯の使用量が増加することを抑制できる。また、例えば、貯湯工程で溜める湯量を少な目にして、洗浄工程において、気体を吐出させながら湯量が頭部の洗浄に適した量になるように増やす、といった手法によっても使用する湯量の増加を抑制できる。
【００３９】
洗浄工程が終了すると（例えば、所定時間が経過した場合に洗浄工程が終了される）、洗髪用ボール１０内のお湯や剤液を外部に排出する排水工程が行われる（ステップＳ４）。排水工程においては、排水管６１に取り付けられたバルブ６２が開かれる。これにより、洗髪用ボール１０内のお湯等は、排水管６１を通って外部へと排出される。
【００４０】
排水工程によって洗髪用ボール１０内のお湯等がなくなると、再度、貯湯工程が行われる（ステップＳ５）。貯湯工程の詳細は、ステップＳ１と同様である。
【００４１】
洗髪用ボール１０内に所望量の湯が溜められると、被洗髪者Ｍの頭髪や頭皮についた剤液（シャンプー液）を洗い流すためのすすぎ（空気吹き込み）工程が行われる（ステップＳ６）。すすぎは、エアポンプ４３を駆動し、各共用管３１〜３５を介して各ノズル２１〜２４から空気を吐出させることによって行われる。洗髪用ボール１０内に空気が吐出されることでお湯が撹拌され、頭髪及び頭皮に対して湯をしっかり供給して、剤液の洗い流しを図り易い。
【００４２】
なお、すすぎ工程においても、洗浄工程の場合と同様に、エアポンプ４３に加えて第２送液ポンプ４２も駆動させてよい。この場合、被洗髪者Ｍの頭部に対して噴流を与えられるので、すすぎ効果が高まることが期待できる。この場合には、お湯の使用量が増加することが懸念されるが、上述の洗浄工程の場合と同様の節水手法によって、お湯の使用量が増加することを抑制できる。
【００４３】
すすぎ工程が終了すると（例えば、所定時間が経過した場合にすすぎ工程が終了される）、洗髪用ボール１０内のお湯を外部に排出する排水工程が行われる（ステップＳ７）。排水工程の詳細は、ステップＳ４と同様である。以上によって、洗髪装置１を用いた洗髪は終了する。なお、必要に応じて、洗浄工程やすすぎ工程は複数回行われても構わない（この場合は貯湯工程や排水工程も適宜追加されることになる）。
【００４４】
本実施形態の洗髪装置１によれば、洗髪動作中に絶えずお湯を出す必要がないために、湯の使用量の節約を図り易い。また、本実施形態では、液体を洗髪用ボール１０内に吐出させるための配管及びノズルと、気体を洗髪用ボール１０内に吐出させるための配管及びノズルとが共用されている。このために、洗髪作業が終了した時点で、エアポンプ４３を駆動させることによって、配管内のたまり水を放出することできる。この結果、次の被洗髪者Ｍに対して冷たい水がかかったり、洗髪用ボール１０に溜められた水が冷たかったりする、という事態が発生することを防止できる。
【００４５】
なお、本実施形態の洗髪装置１は、エアポンプ４３を利用して、洗髪用ボール１０内に空気を吐出させることができる。このために、エアポンプ４３を利用して、被洗髪者の頭部が乾かされるようにしてもよい。すなわち、洗髪装置１によって、すすぎ工程の後に、乾燥工程が行われるようにしてもよい。
＜第２実施形態＞
【００４６】
次に、図４を参照しながら、第２実施形態の洗髪装置について説明する。なお、図４は、本発明の第２実施形態に係る洗髪装置２の構成を示す模式図である。図４において、一点鎖線で示す矢印は、信号の流れを示している。図４からわかるように、第２実施形態の洗髪装置２は、第１実施形態の洗髪装置１の構成と概ね同様である。第１実施形態の構成と重複する構成の説明は省略し、異なる部分に絞って説明を行う。第２実施形態の洗髪装置２には、制御装置７０が備えられており、この点が第１実施形態の構成と異なっている。
【００４７】
制御装置７０は、操作部７１（洗髪装置２を使用する者（通常、被洗髪者とは異なる）が操作する部分である）を介して入力された情報に基づいて、各部を動作させる。詳細には、制御装置７０は、第１送液ポンプ４１、第２送液ポンプ４２、エアポンプ４３、及び、バルブ６２（例えば電磁弁）を制御可能になっている。このために、洗髪装置２は、メモリ手段（不図示）に予め格納されるプログラムにしたがって、例えば図３に示す洗髪動作を全て自動で行うことが可能である。
【００４８】
なお、各工程の終了判断は、全て、制御装置７０が備えるタイマーによって判断するようにしてもよい。また、各工程の終了判断等は、適宜センサーを設けて、時間情報のみならず、センサーからの情報も利用して判断されるようにしてもよい。ここで言うセンサーとしては、例えば、洗髪用ボール１０内の湯量（湯の高さ）を検出するセンサーや、お湯、剤液、空気の吐出量を測定する流量センサー等が挙げられる。
【００４９】
また、第２実施形態の洗髪装置２においては、操作部７１によって、複数の洗髪コースの中から、被洗髪者Ｍに応じた洗髪コースを選択できるように構成してもよい。また、第１〜第４の共用管３１〜３４のそれぞれに電磁弁等のバルブを設けて、プログラム制御によって、例えば洗浄工程やすすぎ工程で使用されるノズル２１〜２４が適宜変更されるようにしてもよい。
＜第３実施形態＞
【００５０】
次に、図５を参照しながら、第３実施形態の洗髪装置について説明する。なお、図５は、本発明の第３実施形態に係る洗髪装置３の構成を示す模式図である。図５からわかるように、第３実施形態の洗髪装置３は、第１実施形態の洗髪装置１の構成と重複する部分を多く有する。第１実施形態の構成と重複する構成の説明は省略し、異なる部分に絞って説明を行う。
【００５１】
第３実施形態の洗髪装置３は、洗髪用ボール１０の内壁に設けられるノズル２４から空気は吐出されない構成になっている。なお、第３実施形態においては、第１実施形態の場合と異なり、洗髪用ボール１０の側壁にのみノズル２４が設けられる構成になっているが、ノズルが設けられる位置については、第１実施形態と同じにしても勿論構わない。
【００５２】
第３実施形態においては、洗髪用ボール１０内に、エアポンプ４３と接続された送気管（パイプ或いはホース）８０の一部が入れられた構成になっている。送気管８０には、洗髪用ボール１０内で空気を吐出できるように、複数の穴（吐出口）８０ａが設けられている。このような構成であっても、エアポンプ４３を駆動させることによって洗髪用ボール１０内の液体を撹拌できるために、上述したのと同様の効果を得られる。なお、エアポンプ４３及び送気管８０は、本発明の気体吐出手段の一例である。
【００５３】
第３実施形態のように構成する場合、例えば、送気管８０を水平方向（図５において、紙面と垂直な面内方向）に移動可能に設けて、空気の吐出位置を適宜変更することが可能になる。このような構成では、例えば、空気を吐出するための吐出口の数を減らして効果的に洗浄やすすぎを行えるといった効果が期待できる。
＜その他＞    
【００５４】
以上に示した実施形態は、本発明の例示にすぎない。以上に示した実施形態の構成は、本発明の技術思想を超えない範囲で適宜変更されて構わない。
【００５５】
例えば、以上の実施形態においては、洗髪装置１〜３が、お湯や剤液を洗髪用ボール１０内に吐出する液体吐出手段を備える構成とした。しかしながら、場合によっては、洗髪装置１〜３が液体吐出手段を備えない構成としてもよい。この場合には、洗髪装置の使用者が自らの手で、お湯や剤液を洗髪用ボール１０に入れることになる。また、他の例として、お湯を洗髪用ボール１０内に吐出させる手段は備え、剤液を洗髪用ボール１０内に吐出させる手段のみを備えない構成等としてもよい。
【００５６】
また、以上の実施形態においては、洗髪装置１〜３が、お湯や剤液を洗髪用ボール１０に溜める状態と、溜めない状態とを切り換えるバルブ６２（切り換え手段）を備える構成とした。しかしながら、場合によっては、洗髪装置１〜３が切り換え手段を備えない構成としてもよい。
【００５７】
また、図６に示される変形例のように、洗髪用ボール１０における段差部１０２に、水漏れを防止するシール材９０（弾性を備える）を設けるようにしてよい。このようなシール材９０が設けられた構成を採用することによって、被洗髪者Ｍが楽な姿勢で洗髪作業を受けられるようになる。なお、図６（ｂ）及び図６（ｃ）は、洗髪用ボール１０の内側から、段差部１０２を見た場合をイメージした図である。図６（ｂ）は、被洗髪者Ｍが段差部１０２に首を配置していない場合のイメージ図であり、図６（ｃ）は、被洗髪者Ｍが段差部１０２に首を配置した場合のイメージ図である。シール材９０は、首が配置された場合に、首に密着するように変形する。
【符号の説明】
【００５８】
１、２、３  洗髪装置
１０  洗髪用ボール（洗髪用容器）
２１〜２４  ノズル
３１〜３５  共用管
４１、４２  送液ポンプ
４３  エアポンプ
６２  バルブ（切り換え手段）
８０  送気管
Ｍ  被洗髪者
【図１】
2015019669.tif 000003
【図２】
2015019669.tif 000004
【図３】
2015019669.tif 000005
【図４】
2015019669.tif 000006
【図５】
2015019669.tif 000007
【図６】
2015019669.tif 000008